(57)【要約】【課題】  デジタルカメラとプリンタを直接接続して印刷を行う場合に、各機器の状態を表示する表示装置に用いる画面表示の言語やＵＩ画面の構成を統一できなかった。【解決手段】  デジタルカメラとプリンタの接続可能な印刷システムにおいて、デジタルカメラが印刷用インターフェースとプリンタの情報を取得し、デジタルカメラとプリンタで使用している言語種別情報を比較する判断手段を備えている場合、該判断手段の判断結果に基づいて、プリンタ側に対し、切り替え用の言語種別情報と切り替え要求情報を送信する。  プリンタ側はデジタルカメラから送信された切り替え用の言語種別情報と切り替え要求情報の内容に応じ、表示装置に表示する言語種別を変更する。  本システムにより、デジタルカメラとプリンタを接続するだけで、印刷インターフェースを備えた機器側で用いている表示設定に、自動的に切り替る。【選択図】  図２
2006116851.tif 000002
【特許請求の範囲】
【請求項１】
撮像装置と、前記撮像装置を接続可能なプリンタを備えた印刷システムであって、撮像装置は前記プリンタからの情報を判別する判別手段と、プリンタはプリンタの状態表示を行うプリンタ表示手段と、前記判別手段の結果に基づいて前記プリンタ表示手段の表示設定を切り替える前切替手段を備えたことを特徴とする印刷システム。
【請求項２】
撮像装置は印刷操作のためのインターフェース手段と、任意の一つの言語あるいは複数の言語のうち一つの言語を用いた状態表示を行う撮像装置表示手段を備え、上記プリンタ表示手段は複数の言語のうち一つの言語を用いた状態表示を行い、上記撮像装置からの情報の種類は言語種別であり、上記判断手段は、撮像装置と同一の言語による状態表示が可能か否かを判断し、上記切替手段は判断手段の結果に基づき表示用言語を切り替える、表示言語切替手段である請求項１記載の印刷システム。
【請求項３】
撮像装置は印刷操作のためのインターフェース手段と、任意の一種類のユーザーインターフェース画面あるいは複数のユーザーインターフェース画面のうち一種類のユーザーインターフェース画面を用いた状態表示を行う撮像装置表示手段を備え、上記プリンタ表示手段は複数のユーザーインターフェース画面のうち一つのユーザーインターフェース画面を用いた状態表示を行い、上記撮像装置からの情報の種類はユーザーインターフェース画面種別であり、上記判断手段は、撮像装置と同一のユーザーインターフェース画面による状態表示が可能か否かを判断し、上記切替手段は判断手段の結果に基づきユーザーインターフェース画面を切り替える、ユーザーインターフェース画面切替手段である請求項１記載の印刷システム。
【請求項４】
撮像装置は印刷操作のためのインターフェース手段と、任意の一つの言語あるいは複数の言語のうち一つの言語を用いた状態表示を行う撮像装置表示手段と、言語種別選択手段を備え、上記プリンタ表示手段は複数の言語のうち一つの言語を用いた状態表示を行い、また前記言語種別選択手段は、選択可能な複数の言語のうち、撮像装置表示手段で用いている第一の言語種別とプリンタ表示手段で用いている第二の言語種別が優先的に選択可能であり、上記撮像装置からの情報の種類は、前記言語種別選択手段により選択された言語種別であり、上記切替手段は選択された言語種別に基づき、プリンタ表示手段で用いる表示言語が選択された表示言語と一致するように表示設定を切り替える、表示言語切替手段である請求項１記載の印刷システム。
【請求項５】
撮像装置と、前記撮像装置を接続可能なプリンタを備えた印刷システムであって、プリンタはプリンタの状態表示を行うプリンタ表示手段と、前記撮像装置からの情報を判別する判別手段と、前記判別手段の結果に基づいて前記プリンタ表示手段の表示設定を切り替える切替手段を備えたことを特徴とする印刷システム。
【請求項６】
撮像装置と、前記撮像装置を接続可能なプリンタを備えた印刷システムであって、プリンタは前記撮像装置からの情報を判別する判別手段と、撮像装置は、撮像装置の状態表示を行う撮像装置表示手段と、前記判別手段の結果に基づいて前記撮像装置表示手段の表示設定を切り替える切替手段を備えたことを特徴とする印刷システム。
【請求項７】
撮像装置と、前記撮像装置を接続可能なプリンタを備えた印刷システムであって、撮像装置は、撮像装置の状態表示を行う撮像装置表示手段と、前記プリンタからの情報を判別する判別手段と、前記判別手段の結果に基づいて前記撮像装置表示手段の表示設定を切り替える切替手段を備えたことを特徴とする印刷システム。
【発明の詳細な説明】
【技術分野】
【０００１】
本発明は、撮像装置、例えばデジタルスチルカメラおよび静止画撮影機能を備えたデジタルビデオカメラとプリンタを接続可能な印刷システムに関するものである。
【背景技術】
【０００２】
近年、デジタルカメラの普及と共にパーソナルコンピュータ等のコンピュータを介さず撮影画像をプリンタで印刷する印刷システムが知られている。従来のこのような印刷システムとして、デジタルカメラとプリンタをＵＳＢ（Ｕｎｉｖｅｒｓａｌ  Ｓｅｒｉａｌ  Ｂｕｓ）インターフェースを介し接続し、直接撮影画像を印刷するシステムがある（例えば、非特許文献参照。）。
【０００３】
また、デジタルカメラおよびプリンタについては、その動作状態を表示する文字情報の言語として複数用意され、その中から利用者の理解できる言語を選択することで、操作上の利便性を向上させるものがある。
【特許文献１】特開平１１−３１７９２１号公報
【発明の開示】
【発明が解決しようとする課題】
【０００４】
ところで、デジタルカメラとプリンタを直接接続して利用する印刷システムでは、利用者は印刷操作のキースイッチなどのインターフェースがデジタルカメラ側にあれば、デジタルカメラの表示画面を参照しながら作業を行い、逆にプリンタ側に印刷用インターフェースがあればプリンタの表示画面を参照しながら操作を行う。
【０００５】
デジタルカメラ側に印刷インターフェースがあり、前述した複数の言語種別から一つの言語種別が選択が可能なデジタルカメラおよびプリンタ同士を接続して撮影画像の印刷を行う場合、例えばデジタルカメラの設定言語が日本語であるのに対し、プリンタの設定言語が英語である、というように互いの言語種別が異なることが予想される。
【０００６】
同様に、デジタルカメラとプリンタとで表示されるユーザーインターフェース画面の構成が異なることも予想される。
【０００７】
この場合、ユーザーが日本語は理解できるが英語を理解できないと、プリンタ側の動作状態を把握できない。また、ユーザーインターフェース画面構成が異なると、画面に表示される情報の内容がことなるため、カメラとプリンタのどちらの情報が真の状態を示しているか判断しづらく、ユーザーに対し混乱を招いていた。
【０００８】
その結果、デジタルカメラとプリンタに表示される警告への対応が遅れる等、印刷作業を進める上で適切な操作を即座に行うことができず、利便性を損なっていた。
【０００９】
本出願にかかる発明は、このような問題点に鑑みてなされたものであり、デジタルカメラとプリンタの表示設定情報の不一致、例えば表示言語種別の不一致による印刷操作における不具合を改善し、ユーザーの操作性、利便性の向上を実現した印刷システムの提供を目的とする。
【課題を解決するための手段】
【００１０】
請求項１記載の本発明は、撮像装置と、前記撮像装置を接続可能なプリンタを備えた印刷システムにおいて、撮像装置は前記プリンタからの情報を判別する判別手段と、プリンタはプリンタの状態表示を行うプリンタ表示手段と、前記判別手段の結果に基づいて前記プリンタ表示手段の表示設定を切り替える前切替手段を備えたことを特徴とする。
【００１１】
請求項２記載の本発明は、請求項１記載の印刷システムにおいて、撮像装置は印刷の実行、取消などの操作を行うインターフェース手段と、任意の一つの言語あるいは複数の言語のうち一つの言語を用いた状態表示を行う撮像装置表示手段を備え、上記プリンタ表示手段は複数の言語のうち一つの言語を用いた状態表示を行い、上記撮像装置からの情報の種類は言語種別であり、上記切替手段は撮像装置の言語種別に基づき、撮像装置と同一の言語による状態表示が可能か否かを判断し、可能であればプリンタ表示手段で用いる言語が撮像装置側で表示している言語と一致するように表示設定を切り替える、表示言語切替手段であることを特徴とする。
【００１２】
請求項３記載の本発明は、請求項１記載の印刷システムにおいて、撮像装置は印刷の実行、取消などの操作を行うインターフェース手段と、任意の一種類のユーザーインターフェース画面あるいは複数のユーザーインターフェース画面のうち一つのユーザーインターフェース画面を用いた状態表示を行う撮像装置表示手段を備え、上記プリンタ表示手段は複数のユーザーインターフェース画面のうち一つのユーザーインターフェース画面を用いた状態表示を行い、上記撮像装置からの情報の種類はユーザーインターフェース画面種別であり、上記切替手段は撮像装置のユーザーインターフェース画面種別に基づき、撮像装置と同一のユーザーインターフェース画面による状態表示が可能か否かを判断し、可能であればプリンタ表示手段で用いるユーザーインターフェース画面が撮像装置側で表示しているユーザーインターフェース画面と一致するように表示設定を切り替える、ユーザーインターフェース画面切替手段であることを特徴とする。
【００１３】
請求項４記載の本発明は、請求項１記載の印刷システムにおいて、撮像装置は印刷の実行、取消などの操作を行うインターフェース手段と、任意の一つの言語あるいは複数の言語のうち一つの言語を用いた状態表示を行う撮像装置表示手段と、言語種別選択手段を備え、上記プリンタ表示手段は複数の言語のうち一つの言語を用いた状態表示を行い、また前記言語種別選択手段は、選択可能な複数の言語のうち、撮像装置表示手段で用いている第一の言語種別とプリンタ表示手段で用いている第二の言語種別が優先的に選択可能であり、上記撮像装置からの情報の種類は、前記言語種別選択手段により選択された言語種別であり、上記切替手段は選択された言語種別に基づき、プリンタ表示手段で用いる表示言語が選択された表示言語と一致するように表示設定を切り替える、表示言語切替手段であることを特徴とする。
【００１４】
請求項５記載の本発明は、撮像装置と、前記撮像装置を接続可能なプリンタを備えた印刷システムにおいて、プリンタはプリンタの状態表示を行うプリンタ表示手段と、前記撮像装置からの情報を判別する判別手段と、前記判別手段の結果に基づいて前記プリンタ表示手段の表示設定を切り替える切替手段を備えたことを特徴とする。
【００１５】
請求項６記載の本発明は、撮像装置と、前記撮像装置を接続可能なプリンタを備えた印刷システムにおいて、プリンタは前記撮像装置からの情報を判別する判別手段と、撮像装置は、撮像装置の状態表示を行う撮像装置表示手段と、前記判別手段の結果に基づいて前記撮像装置表示手段の表示設定を切り替える切替手段を備えたことを特徴とする。
【００１６】
請求項７記載の本発明は、撮像装置と、撮像装置を接続可能なプリンタを備えた印刷システムにおいて、撮像装置は、撮像装置の状態表示を行う撮像装置表示手段と、プリンタからの情報を判別する判別手段と、判別手段の結果に基づいて撮像装置表示手段の表示設定を切り替える切替手段を備えたことを特徴とする。
【発明の効果】
【００１７】
請求項１および請求項５記載の印刷システムによれば、デジタルカメラとプリンタを接続して印刷を行う場合、デジタルカメラからの情報に応じてプリンタの表示設定を切り替えることで、プリンタとカメラの組み合わせに応じて最適な表示をカメラ側で行うことができる。
【００１８】
また、請求項２に記載の印刷システムによれば、デジタルカメラとプリンタを接続して印刷を行う場合、印刷操作を行うインターフェースを備えるカメラ側で文字情報を含んだ状態表示に用いている言語と同様の言語でプリンタ側の表示を行うことで、印刷操作を行うデジタルカメラの表示言語をユーザーが理解できる言語に設定しておけば、プリンタ側の表示言語の種別も自動的に変わる。
【００１９】
その結果、ユーザーが印刷操作を行いながらプリンタの表示部を見た場合、プリンタ側の状態に変化が発生した際に表示される文字情報の意味を即座に、かつ適切に認識できるため、操作上の利便性が向上する。
【００２０】
また、請求項３に記載の印刷システムによれば、デジタルカメラとプリンタを接続して印刷を行う場合、印刷操作を行うインターフェースを備えるカメラ側で態表示に用いているユーザーインターフェース画面の構成と同様の画面構成を用い、プリンタ側の表示で行うことで、プリンタ側のユーザーインターフェース画面が、印刷操作を行うデジタルカメラのユーザーインターフェース画面と同様の表示に自動的に変わる。
【００２１】
その結果、ユーザーが印刷操作を行っている間に、プリンタ側で発生した警告などの状態変化に気がつき、プリンタ側の表示を見た場合、それまで見ていたカメラ側と同じ画面構成である、即座に対処できるため、操作上の利便性が向上する。
【００２２】
また、請求項４に記載の印刷システムによれば、デジタルカメラとプリンタを接続して印刷を行う場合、デジタルカメラとプリンタで異なる言語種別による表示を行っているのであれば、選択可能なすべての言語種別からではなく、これらの二種類の言語種別を優先的に選択させることが可能となる。その結果、印刷システム全体の表示用言語種別を、ユーザーがそれまで利用しており、理解できる可能性の高い言語種別に即座に切り替えができる。また、デジタルカメラ、プリンタで現在用いてる言語種別のいずれも利用しない場合であっても、他の言語種別の選択可能な印刷システムを提供することができる。
【００２３】
また、請求項６および請求項７記載の印刷システムによれば、デジタルカメラとプリンタを接続して印刷を行う場合、プリンタからの情報に応じてデジタルカメラの表示設定を切り替えることで、プリンタとカメラの組み合わせに応じて最適な表示をカメラ側で行うことができる。
【発明を実施するための最良の形態】
【００２４】
（実施例１）
図１は本発明の第一の実施形態であるデジタルカメラとプリンタを含む印刷システムの構成を示す。
【００２５】
図１において、結像レンズ１０１、撮像素子１０２、信号処理回路１０３、記録部１０４、カメラ表示部１０５、Ｏｎ  Ｓｃｒｅｅｎ  Ｄｉｓｐｌａｙ回路（ＯＳＤ回路）１０６、カメラシステム制御回路１０７、キースイッチ１０８、カメラ通信インターフェース１０９はデジタルカメラを構成する。
【００２６】
印刷部１１１、プリンタ通信インターフェース１１２、プリンタ表示部１１３、プリンタシステム制御回路１１４はプリンタを構成する。
【００２７】
また、記録媒体１１０はメモリカードなどのように、デジタルカメラで撮影した画像の記録、読み出しが可能な媒体である。
【００２８】
以下、図１を用いて第一の実施例における印刷システムの各部の動作を説明する。
【００２９】
結像レンズ１０１で結象された光学像はＣＣＤなどの撮像素子１０２で光電変換され、撮像される。変換による電荷信号は信号処理回路１０３において所定の画像信号に処理される。信号処理回路１０３で処理された画像信号は記録部１０４とカメラ表示部１０５へ出力する。
【００３０】
記録部１０４は信号処理回路１０３から出力された画像信号を記録媒体１１０への記録、および読み出し制御のための入出力処理を行う。読み出した画像信号はカメラシステム制御回路１０７からの情報に従い、表示および印刷を行うため、カメラ表示部１０５および通信インターフェース１０９へ出力される。
【００３１】
キースイッチ１０８は複数のスイッチなどから成る画像の記録、読み出し、印刷などのデジタルカメラの各種操作を行うための入力インターフェースであり、これらのキーの操作情報はカメラシステム制御回路１０７へ送られる。
【００３２】
カメラ通信インターフェース１１３とプリンタ通信インターフェース１１２はＵＳＢ（Ｕｎｉｖｅｒｓａｌ  Ｓｅｒｉａｌ  Ｂｕｓ）やＩＥＥＥ８０２．１１ｂ規格をはじめとする無線ＬＡＮなどの有線あるいは無線接続により、デジタルカメラとプリンタ間の通信を行うインターフェースである。デジタルカメラとプリンタ間の通信では記録媒体１１０から読み出した印刷対象画像の画像信号をデジタルカメラからプリンタへ送信する他、デジタルカメラとプリンタの表示言語種別情報やユーザーインターフェース画面情報などの機器情報を相互に獲得する。
【００３３】
カメラ通信インターフェース１１３は、プリンタ通信インターフェース１１２を介して獲得したプリンタの表示言語種別情報やユーザーインターフェース画面の構成情報などから成るユーザーインターフェース情報をカメラシステム制御回路１０７へ出力する。
【００３４】
プリンタシステム制御回路１１４は、プリンタ通信インターフェース１１２を介し、カメラ通信インターフェース１０９から送信された画像信号を受信し印刷部１１１へ制御データを出力する。また、デジタルカメラとの通信では画像信号の他、ユーザーインターフェース画面情報を含む機器情報を互いに獲得する。
さらにプリンタ表示部１１３に対し、プリンタの状態や印刷状況等のプリンタ情報を表示させるためのプリンタ表示情報を出力する。
【００３５】
印刷部１１１はプリンタシステム制御回路１１４の制御データを入力し、カメラから送信された画像の印刷を行う。
【００３６】
プリンタ表示部１１３はＯＳＤ回路、表示制御部、ＬＣＤなどから成り、プリンタシステム制御回路１１４から出力されたプリンタ表示情報に応じた、プリンタの状態や印刷状況等のプリンタ情報を表示する。
【００３７】
カメラ表示部１０５はＬＣＤなどから成り、信号処理回路１０３、記録部１０４からの画像信号、ＯＳＤ回路１０６からの文字などの情報を表示する。
【００３８】
カメラシステム制御回路１０７はキースイッチ１０８からの画像記録、画像再生、印刷実行などの操作情報に応じ、デジタルカメラの各処理部に情報を出す。記録部１０４に対しては、画像記録、再生を行う場合、記録媒体１１０への画像信号の読み書きの制御信号を出力する。カメラ通信インターフェース１０９に対しては、印刷作業におけるプリンタとの通信開始、終了などの制御信号を出力する。またＯＳＤ回路１０６に対しては所定のユーザーインターフェース画面構成や言語種別を用いた文字情報から成る印刷動作の状態を示す表示データを出力する。
【００３９】
第一の実施例について、記録媒体１１０に記録されている画像をデジタルカメラで再生し、デジタルカメラとプリンタを接続して、印刷するまでの動作について説明する。
【００４０】
言語種別情報は、日本語、英語などの言語の種類を示す情報であり、表示に用いている言語種別に対応したデータと表示可能な言語種別の一覧に対応するデータから構成される。
【００４１】
言語種別切替情報は、言語種別の切り替えを要求するデータと切り替える言語に対応したデータから構成される。
【００４２】
キースイッチ１０８のうち、画像再生実行キーが操作されると、カメラシステム制御回路１０７は記録部１０６に対し、画像再生信号を出す。記録部１０４は画像再生信号が入力されると、記録媒体１１０から所定の画像の画像信号を読み出す。読み出しが完了すると、表示のための処理を行い、表示部１０５に対し画像信号を出力する。
【００４３】
デジタルカメラとプリンタを接続するとカメラ通信インターフェース１０９とプリンタ通信インターフェース１１２を介し、デジタルカメラとプリンタ間の通信が行われる。その結果、プリンタ表示部１１３で表示している言語種別情報がカメラ通信インターフェース１０９を通じてカメラシステム制御回路１０７へ入力される。
【００４４】
カメラシステム制御回路１０７はデジタルカメラが現在表示に用いている言語種別とプリンタが現在表示に用いている言語種別を比較する。言語種別が双方の機器で一致しない場合は、デジタルカメラ側で使用している言語種別がプリンタ側で使用可能か否か判断し、可能であればデジタルカメラと同一の言語表示を行うように、言語種別切替情報を生成し、プリンタ側へ送信する。
【００４５】
キースイッチ１０８の内、印刷実行キーを操作すると、カメラシステム制御回路１０７は印刷状況を示す表示データをＯＳＤ回路１０６に出力し、表示部１０５において表示される。同時に、カメラシステム制御回路１０７は、記録部１０４とカメラ通信インターフェース１０９に対して画像転送信号を出力する。記録部１０４は画像転送信号が入力されると、再生している画像信号をカメラ通信インターフェース１０９に出力する。カメラ通信インターフェース１０９は画像転送信号が入力されると、記録部１０４からの画像信号をプリンタへ送信する。
【００４６】
プリンタはデジタルカメラからの画像信号および機器情報を受信し、プリンタシステム制御回路１１４は印刷部１１１に対し画像信号を出力し、印刷が実行される。また、プリンタシステム制御回路１１４は印刷状況を示す印刷情報をプリンタ通信インターフェース１１２とプリンタ表示部１１３に対し出力する。プリンタ通信インターフェース１１２へ出力された印刷情報はデジタルカメラへ送信される。さらにプリンタシステム制御回路１１４は、デジタルカメラから送信された言語種別切替情報の内容に応じて、プリンタ表示部１１３で表示する言語種別の切り替え処理を行う。
【００４７】
その結果、カメラ表示部１０５とプリンタ表示部１１３の各表示部で同一の言語種別による文字情報を含む印刷状況が表示される。
【００４８】
次にデジタルカメラとプリンタの接続を実行および解除した場合に、カメラシステム制御回路１０７およびプリンタ回路１１４で行われるプリンタ表示部の表示言語を切り替えるための言語種別の判断および切り替え処理について、図２のフローチャートを用いて説明する。
【００４９】
まず、カメラ側の処理について説明する。ステップＳ２０１においてプリンタと接続中か否かを判断する。接続中であればステップＳ２０４へ、接続されていなければ終了する。
【００５０】
ステップＳ２０２では、プリンタから送信された各種情報の中からプリンタ側の現在の言語種別および表示可能な言語種別情報の受信が完了しているか否かを判断する。完了していれば、ステップＳ２０４へ進む。受信が未完であれば、ステップＳ２０３へ進む。
【００５１】
ステップＳ２０３では、プリンタのステップＳ２００５で送信されるプリンタ情報を受信する。受信は所定の周期で行われ、一回の通信が完了するとステップＳ２０２へ戻る。
【００５２】
ステップＳ２０４では、カメラが現在表示に用いている言語種別とステップＳ２０２で獲得したプリンタの表示可能言語種別を比較し、プリンタがカメラで用いている言語種別を利用可能か否か判断する。判断した結果、利用可能であればステップＳ２０５へ、利用不可であればステップＳ２０７へ進む。
【００５３】
ステップＳ２０５では、プリンタの言語種別がカメラ側の言語種別と一致するか否かを判断する。一致すればステップＳ２０７へ、異なっていればステップＳ２０６へ進む。
【００５４】
ステップＳ２０６では、プリンタ側の言語種別をカメラ側の言語種別に切り替えるため、表示言語切替要求を有効にし、ステップＳ２０８へ進む。
【００５５】
ステップＳ２０７では、プリンタ側の言語種別を維持させるため、表示言語切替要求を無効にし、ステップＳ２０９へ進む。
【００５６】
ステップＳ２０８では、プリンタへ送信する言語種別情報の応答データをカメラが使用している言語種別とし、ステップＳ２１０へ進む。
【００５７】
ステップＳ２０９では、プリンタへ送信する言語種別情報の応答データをステップＳ２０３でプリンタから受信した言語種別とし、ステップＳ２１０へ進む。
【００５８】
ステップＳ２１０では、プリンタへ言語種別の応答データと表示言語切替要求情報を送信し終了する。
【００５９】
次にプリンタ側の処理について説明する。ステップＳ２００１においてカメラと接続中か否かを判断する。接続中であればステップＳ２００４へ、接続されていなければステップＳ２００２へ進む。
【００６０】
ステップＳ２００４では、カメラに対し送信する各種情報のうち、プリンタ側の現在の言語種別および表示可能な言語種別情報の送信が完了しているか否かを判断する。完了していれば、ステップＳ２００６へ進む。送信が未完であれば、ステップＳ２００５へ進む。
【００６１】
ステップＳ２００５では、プリンタのプリンタ情報を送信する。送信は所定の周期で行われ、一回の送信が完了するとステップＳ２００４へ戻る。
【００６２】
ステップＳ２００６では、カメラ側のステップＳ２１０で送信された言語種別情報の応答データを受信し、ステップＳ２００７へ進む。
【００６３】
ステップＳ２００７では、ステップＳ２００６で受信した言語種別情報の応答データに含まれる表示言語切替要求情報が有効か無効は判別する。有効であればステップＳ２００８へ進み、無効であればプリンタ側の言語切替を行わず、そのまま終了する。
【００６４】
ステップＳ２００８では、ステップＳ２００６で受信した言語種別情報に含まれる言語種別に表示を切り替えるように、プリンタ表示部への制御データを切り替える制御を行う。さらに接続解除の際、従来の言語種別に戻すために切り替え前の表示言語種別情報を保存し、終了する。
【００６５】
ステップＳ２００２では、ステップＳ２００８で保存したカメラとの接続前の言語種別と現在表示に用いている言語種別が一致しているか否かを判断する。その結果、一致していれば、そのまま終了し、異なっていればステップＳ２００３へ進む。
【００６６】
ステップＳ２００３では、ステップＳ２００８で保存した言語種別に表示を切り替えるように、プリンタ表示部への制御データを切り替える制御を行う。
【００６７】
以上述べた説明により本発明の第一の実施例では、例えばデジタルカメラとプリンタが、未接続である場合に、デジタルカメラ側では図４（ａ）に示す日本語による印刷情報が表示され、プリンタ側では図４（ｂ）に示す英語による印刷情報が表示されている、即ち各機器の表示言語種別が一致しない状態で、機器の接続を行うと、印刷操作のユーザーインターフェースを備えるデジタルカメラ側の表示言語にプリンタ側の表示言語を合わせる。これにより、ユーザーが印刷操作を行う機器の表示言語のみ理解していない場合であっても、プリンタ側の表示情報の内容の理解、把握が可能となる。
【００６８】
その結果、印刷の進行状況や途中で発生した警告に対し、ユーザーが適切に対処可能であり、円滑な印刷作業を提供できる。
【００６９】
（実施例２）
本発明の第二の実施形態であるデジタルカメラとプリンタを含む印刷システムの構成は、図１で示され、第一の実施形態と同様の構成である。また、第二の実施例における印刷システムの各部の動作も第一の実施形態と同様の動作である。
【００７０】
第二の実施例について、記録媒体１１０に記録されている画像をデジタルカメラで再生し、デジタルカメラとプリンタを接続して、プリンタで印刷するまでの動作について説明する。
【００７１】
ユーザーインターフェース画面（以下、ＵＩ画面とする）種別情報は、表示部に対し出力するＵＩ画面の種類を識別する情報で、例えば、図６の（ａ）、（ｂ）に示すように異なるＵＩ画面構成では異なる情報となる。
【００７２】
ＵＩ画面種別切替情報は、ＵＩ画面種別の切り替えを要求するデータと切り替えるＵＩ画面情報を示すデータから構成される。
【００７３】
キースイッチ１０８のうち、画像再生実行キーが操作されると、カメラシステム制御回路１０７は記録部１０６に対し、画像再生信号を出す。記録部１０４は画像再生信号が入力されると、記録媒体１１０から所定の画像の画像信号を読み出す。読み出しが完了すると、表示のための処理を行い、表示部１０５に対し画像信号を出力する。
【００７４】
デジタルカメラとプリンタを接続すると通信が行われ、プリンタ通信インターフェース１１２を介しプリンタ表示部１１３が用いているＵＩ画面種別情報がカメラ通信インターフェース１０９からカメラシステム制御回路１０７へ入力される。
【００７５】
デジタルカメラとプリンタを接続するとカメラ通信インターフェース１０９とプリンタ通信インターフェース１１２を介し、デジタルカメラとプリンタ間の通信が行われる。その結果、プリンタ表示部１１３で表示しているＵＩ画面種別情報がカメラ通信インターフェース１０９を通じてカメラシステム制御回路１０７へ入力される。
【００７６】
カメラシステム制御回路１０７はデジタルカメラが現在用いているＵＩ画面種別とプリンタが現在用いているＵＩ画面種別を比較する。ＵＩ画面種別が双方の機器で一致しない場合は、デジタルカメラ側で使用しているＵＩ画面種別がプリンタ側で使用可能か判断し、可能であればデジタルカメラと同一の言語表示を行うように、ＵＩ画面種別切替情報を生成し、プリンタ側へ送信する。
【００７７】
キースイッチ１０８の内、印刷実行キーを操作すると、カメラシステム制御回路１０７は印刷状況を示す表示データをＯＳＤ回路１０６に出力し、表示部１０５に表示される。同時に、カメラシステム制御回路１０７は、記録部１０４とカメラ通信インターフェース１０９に対して画像転送信号を出力する。記録部１０４は画像転送信号が入力されると、再生している画像信号をカメラ通信インターフェース１０９に出力する。カメラ通信インターフェース１０９は画像転送信号が入力されると、記録部１０４からの画像信号をプリンタへ送信する。
【００７８】
プリンタはデジタルカメラからの画像信号および機器情報を受信し、プリンタシステム制御回路１１４は印刷部１１１に対し画像信号を出力し、印刷が実行される。さらにプリンタシステム制御回路１１４は印刷状況を示す印刷情報をプリンタ通信インターフェース１１２とプリンタ表示部１１３に対し出力する。プリンタ通信インターフェース１１２へ出力された印刷情報はデジタルカメラへ送信される。さらにプリンタシステム制御回路１１４は、デジタルカメラから送信されたＵＩ画面種別切替情報の内容に応じて、プリンタ表示部１１３で表示するＵＩ画面種別の切り替え処理を行う。
【００７９】
その結果、カメラ表示部１０５とプリンタ表示部１１３の各表示部で同一のＵＩ画面による印刷状況が表示される。
【００８０】
次にデジタルカメラとプリンタの接続を実行および解除した場合に、カメラシステム制御回路１０７およびプリンタ回路１１４で行われるプリンタ表示部のＵＩ画面を切り替えるためのＵＩ画面種別の判断および切り替え処理について、図３のフローチャートを用いて説明する。
【００８１】
まず、カメラ側の処理について説明する。ステップＳ３０１においてプリンタと接続中か否かを判断する。接続中であればステップＳ３０４へ、接続されていなければ終了する。
【００８２】
ステップＳ３０２では、プリンタから送信された各種情報の中からプリンタ側の現在のＵＩ画面種別および表示可能なＵＩ画面種別情報の受信が完了しているか否かを判断する。完了していれば、ステップＳ３０４へ進む。受信が未完であれば、ステップＳ３０３へ進む。
【００８３】
ステップＳ３０３では、プリンタのステップＳ３００５で送信されるプリンタ情報を受信する。受信は所定の周期で行われ、一回の通信が完了するとステップＳ３０２へ戻る。
【００８４】
ステップＳ３０４では、カメラが現在表示に用いているＵＩ画面種別とステップＳ３０２で獲得したプリンタの表示可能ＵＩ画面種別を比較し、プリンタがカメラで用いているＵＩ画面種別を利用可能か否か判断する。判断した結果、利用可能であればステップＳ３０５へ、利用不可であればステップＳ３０７へ進む。
【００８５】
ステップＳ３０５では、プリンタのＵＩ画面種別がカメラ側のＵＩ画面種別と一致するか否かを判断する。一致すればステップＳ３０７へ、異なっていればステップＳ３０６へ進む。
【００８６】
ステップＳ３０６では、プリンタ側のＵＩ画面種別をカメラ側のＵＩ画面種別に切り替えるため、ＵＩ切替要求を有効にし、ステップＳ３０８へ進む。
【００８７】
ステップＳ３０７では、プリンタ側のＵＩ画面種別を維持させるため、ＵＩ切替要求を無効にし、ステップＳ３０９へ進む。
【００８８】
ステップＳ３０８では、プリンタへ送信するＵＩ画面種別情報の応答データをカメラが使用しているＵＩ画面種別とし、ステップＳ３１０へ進む。
【００８９】
ステップＳ３０９では、プリンタへ送信するＵＩ画面種別情報の応答データをステップＳ３０３でプリンタから受信したＵＩ画面種別とし、ステップＳ３１０へ進む。
【００９０】
ステップＳ３１０では、プリンタへＵＩ画面種別の応答データとＵＩ切替要求情報を送信し終了する。
【００９１】
次にプリンタ側の処理について説明する。ステップＳ３００１においてカメラと接続中か否かを判断する。接続中であればステップＳ３００４へ、接続されていなければステップＳ３００２へ進む。
【００９２】
ステップＳ３００４では、カメラに対し送信する各種情報のうち、プリンタ側の現在のＵＩ画面種別および表示可能なＵＩ画面種別情報の送信が完了しているか否かを判断する。完了していれば、ステップＳ３００６へ進む。送信が未完であれば、ステップＳ３００５へ進む。
【００９３】
ステップＳ３００５では、プリンタのプリンタ情報を送信する。送信は所定の周期で行われ、一回の送信が完了するとステップＳ３００４へ戻る。
【００９４】
ステップＳ３００６では、カメラ側のステップＳ３１０で送信されたＵＩ画面種別情報の応答データを受信し、ステップＳ３００７へ進む。
【００９５】
ステップＳ３００７では、ステップＳ３００６で受信したＵＩ画面種別情報の応答データに含まれるＵＩ切替要求情報が有効か無効は判別する。有効であればステップＳ３００８へ進み、無効であればプリンタ側のＵＩ画面切替を行わず、そのまま終了する。
【００９６】
ステップＳ３００８では、ステップＳ３００６で受信したＵＩ画面種別情報に含まれるＵＩ画面種別に表示を切り替えるように、プリンタ表示部への制御データを切り替える制御を行う。さらに接続解除の際、従来のＵＩ画面種別に戻すために切り替え前のＵＩ画面種別情報を保存し、終了する。
【００９７】
ステップＳ３００２では、ステップＳ３００８で保存したカメラとの接続前のＵＩ画面種別と現在表示に用いているＵＩ画面種別が一致しているか否かを判断する。その結果、一致していれば、そのまま終了し、異なっていればステップＳ３００３へ進む。
【００９８】
ステップＳ３００３では、ステップＳ３００８で保存したＵＩ画面種別に表示を切り替えるように、プリンタ表示部への制御データを切り替える制御を行う。
【００９９】
以上述べた説明により本発明の第二の実施例では、デジタルカメラとプリンタの接続前に、例えばデジタルカメラ側では図６（ａ）に示すＵＩ画面による印刷情報が表示され、プリンタ側では図６（ｂ）に示すＵＩ画面による印刷情報が表示されているといった、各機器のＵＩ画面種別が異なる場合に、機器を接続した際に、印刷操作のユーザーインターフェースを図６（ｃ）に示す備えるデジタルカメラ側のＵＩ画面構成にプリンタ側のＵＩ画面を合わせる。これにより、ユーザーがデジタルカメラ側で印刷操作を行いつつ、同時にプリンタ側の動作を確認した場合、カメラ側と同一のＵＩ画面であるため、プリンタ側の表示情報の内容の理解、把握が容易となる。
【０１００】
その結果、印刷の進行状況や途中で発生した警告に対し、ユーザーが適切に対処可能であり、円滑な印刷作業を実現できる。
【図面の簡単な説明】
【０１０１】
【図１】本発明の第一および第二の実施例である印刷システムの構成を示すブロック
【図２】本発明の第一の実施例のシステム制御回路の処理を示すフロー図
【図３】本発明の第二の実施例のシステム制御回路の処理を示すフロー図
【図４】言語種別の違いによる印刷時の画面表示の違いを示す図であり、（ａ）は表示言語として日本語を用いた画面であり、（ｂ）は英語を用いた画面である
【図５】ＵＩ画面種別の違いによる印刷時の画面構成の違いを示す図であり、（ａ）と（ｂ）は異なる画面構成である
【符号の説明】
【０１０２】
１０１  結象レンズ
１０２  撮像素子
１０３  信号処理回路
１０４  記録部
１０５  表示部
１０６  ＯＳＤ回路
１０７  カメラシステム制御回路
１０８  キースイッチ
１０９  カメラ通信インターフェース
１１０  記録媒体
１１１  印刷部
１１２  表示部
１１３  プリンタ通信インターフェース
１１４  プリンタシステム制御回路
【図１】
2006116851.tif 000003
【図２】
2006116851.tif 000004
【図３】
2006116851.tif 000005
【図４】
2006116851.tif 000006
【図５】
2006116851.tif 000007